(57)【特許請求の範囲】
【請求項１】
背面に商品を収納するための開口部を形成した商品収納枠列と、
この商品収納枠列を前傾可能に軸支すると共に、該商品収納枠列を起立させたときに前記商品収納枠列の開口部を閉塞する固定板を備えた自動販売機の機体と、
この自動販売機の機体側に取り付けられ、起立させた前記商品収納枠列の下端部に係合して該商品収納枠列に収納された商品を前記固定板の裏側に形成された商品搬出路に払い出す商品搬出装置とを具備し、
前記商品収納枠列は、その下端部に内側に折り曲げられて商品の下面を支持する爪状の商品押え板を備えることを特徴とする自動販売機の商品収納装置。
【請求項２】
前記商品押え板は、前記商品搬出装置による商品の搬出方向に沿って設けられて、上記商品を前記商品搬出路に案内するガイド部材としての役割を果たすものである請求項１記載の自動販売機の商品収納装置。
【発明の詳細な説明】
【０００１】
【発明の属する技術分野】
本発明は、自動販売機の商品収納装置に関し、特に、機体内に設けられた複数の商品収納枠の開口部を、一度に開閉することができる自動販売機の商品収納装置に関する。
【０００２】
【従来の技術】
図１に示すように、従来の自動販売機１は、その機体２の前面に扉３を備えており、この扉３は、機体２に上下一対のヒンジ９を介して開閉自在に取り付けられている。機体２内には、多数の商品収納枠列が形成されており、これらの商品収納枠列は機体２内に上下複数段にして配置されており、このように扉３を開いた状態では、機体２の前面に開口部が形成される。
【０００３】
具体的には、自動販売機１の略中央から上側部分の商品収納枠列４ａ，４ｂ，４ｃ，４ｄと下側部分の商品収納枠列４ｅ，４ｆとに分けて配置されている。
商品収納枠列には、機体２の上部右側部分に配置された第１種商品収納枠列４ａと、上部左側部分に上下２段にして配置された第２種商品収納枠列４ｂと、中央部分に位置した第１種商品収納枠列４ｃと、この第１種商品収納枠列４ｃの上部中央部に確保された空間に配置された第２種商品収納枠列４ｄとが含まれている。
【０００４】
なお、中央部分より下側には、上下２段にして商品収納枠列４ｅ，４ｆが配置されており、この商品収納枠列４ｅ，４ｆは、第２種商品収納枠列４ｂと同様なタイプのものである。商品収納枠列は、前面に開口部３１を備えた個々の商品収納枠３２を水平方向に隣接させ、その底面を商品搬出装置３３の上面によって構成されている。商品搬出装置３３の上面には、たばこ、箱詰めされた菓子などの商品Ｔが前後２列に収納されており、商品収納枠３２の奥行きは商品Ｔを前後２列に収納可能なだけの大きさに形成されている。
【０００５】
第１種商品収納枠列４ａ，４ｃの商品収納枠３２は、各商品収納枠３２の開口部３１を開閉するガイドロッド３４を備えている。このガイドロッド３４は、商品収納枠３２の開口部３１の中央を上下方向に延びて配置されており、その上下端は水平方向に一旦屈曲された後、商品収納枠３２に回動自在に支持されている。従って、ガイドロッド３４をその上下端を中心として、図１において右向きに回動させれば、商品収納枠３２の開口部３１を大きく開くことができる。
そして、機体２の扉３を開放した状態で、この機体２の開口部２１を通じて、開口部３１を開けた状態の商品収納枠３２内へ、商品Ｔの装填又は補充を行うことができる。
【０００６】
一方、第１種商品収納枠列４ｂ，４ｄ，４ｅ，４ｆの商品収納枠３２は、各商品収納枠３２の開口部３１を一度に開閉することができる一括ガイドを備えている。具体的には、この一括ガイドは商品収納枠列の両端部に回動自在に設けられており、この一括ガイドを一方の回動端まで回動させることで、商品収納枠列を構成する各商品収納枠３２の開口部３１を一度に開放することができる。この状態で商品収納枠３２に商品Ｔを補充または装填することができる。そして、一括ガイドを他方の回動端まで回動させ、各商品収納枠３２の開口部３１を一度に閉塞することで、販売待機状態とすることができる。
【０００７】
ドア３の機体２側には、第１種商品収納枠列４ａ，４ｃ、第２種商品収納枠列４ｂ，４ｄ，４ｅ，４ｆにそれぞれ対応して、払出シュート３５，３６，３７，３８，３９，４０が設けられている。
したがって、消費者が、図示しないドア３の前面に設けられた、商品見本に対応した商品選択ボタンを押すと、選択された商品Ｔを収容した商品収納枠３２の商品搬出装置３３が、商品Ｔの払出しを実行する。商品収納枠３２から排出された商品Ｔは、ドア３に設けられた払出シュート３５，３６，３７，３８，３９，４０を介して、ドア３の前面に設けられた図示しない商品取出口へと送り出される。
【０００８】
ところで、自動販売機内には可能な限り数多くの商品を収納することが要望されているが、機体２側には上下にわたり複数の商品収納枠列が設けられており、従来の自動販売機１の機体２内に、新たに商品収納枠列を設置するスペースを設けることは難しい。一方、扉３には、各商品収納枠列に対応して払出シュートが設けられているが、扉３の上部には僅かな、いわゆるデッドスペースが存在する。
そこで、図２に示すように、扉３の裏板５１に新たに商品収納枠列５を設けることで、自動販売機１内に収納することができる商品Ｔの数を増加させている。
【０００９】
この商品収納枠列５は、裏板５１に固定された背面板５２と、この背面板５２の両端を折り曲げて形成された一対の側面板５３ａ，５３ｂとからなり、側面板５３ａ，５３ｂの先端は、更に背面板５２と平行な方向に折り返されれている。そして、この折り返し部分が屈曲部５４ａ，５４ｂを形成している。
側面板５３ａと５３ｂの間には、背面板５２と平行に配置された固定板５５が配置されており、この固定板５５の両端は、それぞれ側面板５３ａ，５３ｂに固定されている。そして、この固定板５５の前面には、所定の間隔を空けて仕切板５６が側面板５３ａ，５３ｂと平行な方向に突設されており、この仕切板５６の前端には、前面固定板５７が背面板５２と平行な方向に固着されている。
【００１０】
従って、商品収納枠列５の前部は、屈曲部５４ａ，５４ｂ、一対の側面板５３ａ，５３ｂ、仕切板５６、固定板５５および前面固定板５７により囲まれた商品収納枠５８を形成しており、商品収納枠列５の後部は、一対の側面板５３ａ，５３ｂ、背面板５２および固定板５５により囲まれた商品搬出路５９を形成している。そして、この商品搬出路５９は、払出シュート３５の開口部３５ａに通じている。
【００１１】
商品収納枠列５の各商品収納枠５８の下部は、底板６０により塞がれており、この底板６０の上面には各商品収納枠５８に対応して商品搬出装置６１が設けられている。各商品収納枠５８の商品搬出装置６１上には、商品Ｔが積み上げられて収納されており、商品Ｔはこの商品搬出装置６１により手前側から奥側へ一つづつ送り出される。そして、固定板５５の底板６０側に設けられた商品送出口５５ａから商品搬出路５９へ送られ、商品Ｔは商品搬出路５９から払出シュート３５の開口部３５ａへと送られる。
【００１２】
屈曲部５４ａ，５４ｂと前面固定板５７の間および各固定板５７の間には、前面開口部６２が形成されており、この前面開口部６２により、各商品収納枠５８内に収納された商品Ｔの残量を確認することができる。
なお、商品Ｔの補充または装填は、商品収納枠列５の上部に形成された上面開口部６３から行われる。
【００１３】
【発明が解決しようとする課題】
上述した従来の自動販売機１では、商品収納枠５８内に商品Ｔを新たに補充または装填する際には、上面開口部６３から作業を行う必要があった。
ここで、従来の商品収納枠列５は、比較的設置スペースを容易に確保可能な扉３の裏板５１の上部に設けられていた。このため、上面開口部６３に商品Ｔを補充または装填する作業は、女性や老人などの背の低い作業者にとっては不便であり、このような作業者により補充または装填作業を行う際には脚立を用意したり、背の高い作業者に作業を代わってもらう必要があった。
【００１４】
本発明はこのような従来技術の課題を解決するためになされたもので、商品収納枠内に商品を容易に補充、装填することができる自動販売機の商品収納装置を提供することを目的とする。
【００１５】
【課題を解決するための手段】
上記目的を達成するために、本発明に係る自動販売機の商品収納装置は、
<ａ>  背面に商品を収納するための開口部を形成した商品収納枠列と、
<ｂ>  この商品収納枠列を前傾可能に軸支すると共に、該商品収納枠列を起立させたときに前記商品収納枠列の開口部を閉塞する固定板を備えた自動販売機の機体と、
<ｃ>  この自動販売機の機体側に取り付けられ、起立させた前記商品収納枠列の下端部に係合して該商品収納枠列に収納された商品を前記固定板の裏側に形成された商品搬出路に払い出す商品搬出装置とを具備し、更に
<ｄ>  前記商品収納枠列は、その下端部に内側に折り曲げられて商品の下面を支持する爪状の商品押え板を備えることを特徴とする。
また請求項２の発明にあっては前記商品押え板を、前記商品搬出装置による商品の搬出方向に沿って設け、上記商品を前記商品搬出路に案内するガイド部材としての役割を果たすように構成したことを特徴とする。
【００１６】
上記構成の本発明は、商品を積層した状態で保持する商品収納枠を複数並べて形成しており、これら複数の商品収納枠は商品収納枠列を形成している。商品を補充、装填する際には、商品収納枠列の背面に形成された開口部から、商品収納枠内に商品が収納される。この商品収納枠列は、自動販売機の機体に回動自在に設けられており、一方の回動端で商品搬出装置と係合するとともに、商品収納枠列の背面に設けられた開口部から商品がこぼれ出ないようようにされている。また、他方の回動端でこの開口部を露出させ、商品収納枠内に商品を収納可能としている。
また、商品収納枠列の前面には確認窓が形成されており、この確認窓により商品収納枠内に収納された商品の残量を容易に確認することができる。
【００１７】
【発明の実施の形態】
以下、本発明の一実施形態について図面を参照して説明する。
なお、図３から図５において、先に示した図２と同一部分には同一符号を付し、その部分の詳細な説明は省略する。
図３から図５に示すように、扉３の裏板５１には、背面板５２が固着されており、この背面板５２の両端には一対の側面板５３ａ，５３ｂが前方に向けて突設されている。この一対の側面板５３ａ，５３ｂの前端には、背面板５２と平行に固定板５５が固着されており、一対の側面板５３ａ，５３ｂ、背面板５２および固定板５５により囲まれた商品搬出路５９を形成している。
なお、商品搬出路５９の上部は、天板６３により閉塞されており、この商品搬出路５９の下方は、払出しシュート３５に連通している。
【００１８】
上記一対の側面板５３ａ,５３ｂは、固定板５５よりさらに前方に延在されており、側面板５３ａ,５３ｂの間には、前記背面板５２の前方側に向けて商品収納枠列５が回動自在に配置されている。より詳しく説明すると、側面板６４ａ,６４ｂには支軸６７が突設されており、側面板５３ａ,５３ｂには、この支軸６７が挿通可能な挿通孔６８が形成されている。したがって、商品収納枠列５は、支軸６７を挿通孔６８に嵌め込むことで一対の側面板５３ａ,５３ｂに対し、支軸６７を中心として前記背面板５２の前方側に前傾可能に支持されている。
【００１９】
商品収納枠列５は、側面板６４ａ，６４ｂ、天板６５および前面板６６とにより構成されており、側面板６４ａと側面板６４ｂとの間には、商品Ｔを収納可能な程度の間隔を空けて仕切板５６が設けられている。
即ち、商品収納枠列５は、この仕切板５６により区画されており、商品収納枠列５は、複数の商品収納枠５８を並べた状態に形成されている。前面板６６には、商品Ｔが脱落しない程度の大きさで形成された確認窓６６ａが設けられており、この確認窓６６ａは各商品収納枠５８に対応して一つづつ設けられている。したがって、確認窓６６ａを通じて、商品収納枠５８内に収納された商品Ｔの残量を容易に確認することができる。
【００２０】
また、図５に示すように、前面板６６の下方には、切欠き部６６ｂが形成されており、この切欠部６６ｂは商品１個分の高さよりも僅かに大きく形成されている。このように前面板６６に切欠部６６ｂを設けることで、商品収納枠列５８ないに収納された商品Ｔのうち、商品搬出装置６１上に配置された最後の１個を容易に確認することができる。なお、前面板６６には、この切欠部６６ｂの長手方向に沿ってアングル部材６９が固着されている。したがって、商品収納枠列５が図５に示すように、一方の回動端に起立して位置付けられた場合であっても、商品Ｔが切欠部６６ｂから脱落することはない。
【００２１】
また、このアングル部材６９を設けることで、商品収納枠列５を一方の回動端（起立位置）から他方の回動端（前傾位置）との間で回動させても、切欠部６６ｂから商品Ｔが脱落することはない。ここで、アングル部材６９は、商品収納列枠５を他方の回動端まで回動されると商品搬出装置６１と接触し、商品収納列枠５の回動を規制するためのストッパーとして利用することができる。また、アングル部材６９は、商品収納枠列５を回動させる際に把手として利用することもできる。
【００２２】
図３に示すように、商品収納枠列５が一方の回動端まで回動され、扉３側に折り畳まれた状態で支持されている場合には、商品収納枠列５の背面に形成された開口部６４は、固定板５５により閉塞される。そして、商品収納枠５８内の最下層の商品Ｔ１は商品搬出装置６１上に位置づけられ、商品収納枠列５が商品搬出装置６１に係合する状態となるので、各商品収納枠５８内に積層された商品Ｔが開口部６４からこぼれ出ることはない。
【００２３】
一方、図４に示すように、商品収納枠５が手前側の回動端まで回動されると、商品収納枠列５の背面に形成された開口部６４が露出され、各商品収納枠５８内に商品を補充、装填することができる。なお、前面板６６は、この状態においては、各商品収納枠５８内の商品Ｔを支える底板としての役割を有することになる。
【００２４】
各仕切板５６の下端には、図４に示すように、この仕切板５６と垂直方向に枝分かれするように商品押え板５６ａが形成されており、この商品押え板５６ａは商品収納枠５８の内側に向けて折り曲げられた爪状の部材である。この商品押え板５６ａは、商品収納枠５８内に積層された商品Ｔのうち最下層の商品Ｔ１の下面を支えているので、商品収納枠５８内から商品Ｔがこぼれ出るのを防止することができる。
【００２５】
より詳しく説明すると、図３に示す状態では、商品収納枠列５が一方の回動端まで回動されており、商品収納枠列５は扉３側に折り畳まれた状態で保持されている。この状態においては、商品収納枠５８内に積層された商品Ｔのうち最下層の商品Ｔ１の下面は、商品収納枠５８の一部を構成する一対の仕切板５６に形成された商品押え板５６ａ，５６ａにより支えられている。また、各商品収納枠５８内の最下層の商品Ｔ１は、各商品収納枠５８に対応して設けられた商品搬出装置６１上に位置づけられており、一方の回動端まで回動された商品収納枠列５は商品収納装置６１に係合した状態となっている。したがって、商品収納枠５８内から商品Ｔがこぼれ出るのを確実に防止することができる。
【００２６】
また、商品収納枠列５を一方の回動端と他方の回動端との間で回動しても、商品押え板５６ａが最下層の商品Ｔ１を支えるので、商品Ｔが商品収納枠５８内からこぼれ出るおそれはない。
なお、商品押え板５６ａは、商品搬出装置６１による商品Ｔの搬出方向に沿って形成されており、商品Ｔの搬出の際に支障になることはない。そして、商品押え板５６は、商品搬出装置６１により送り出された商品Ｔを、商品搬出路５９へ案内するガイド部材としての役割も備えている。ここで、商品搬出装置６１の上面と商品押え板５６の上面とは、底板６１を基準に同一高さとする必要はなく、最下層の商品Ｔ１を支障なく搬出できるような位置関係に配置されていればよい。
【００２７】
なお、上述した商品搬出装置６１は、側面板５３ａ，５３ｂの固定板５５より突出する部分の下方に形成された底板６１に固着されており、回動自在に設けられた商品収納枠列５の各商品収納枠５８に対応して、この底板６０上には一つづつ商品搬出装置６１が設けられている。
【００２８】
商品搬出装置６１の詳細な構造の説明は省略するが、商品搬出装置６１は、図６において一点鎖線により示したような第１プッシャー６１ａ、第２プッシャー６１ｂおよび売切れ確認レバー６１ｃとを備えている。この第１プッシャー６１ａと第２プッシャー６１ｂとは図示しない電動モータにより駆動可能であり、消費者が扉１の前面に設けられた商品選択ボタンを押すと、希望の商品が収納された商品収納枠５８の商品搬出装置６１の電動モータが駆動され、第１プッシャー６１ａと第２プッシャー６１ｂとを矢印方向に回転させる。
【００２９】
ここで、商品Ｔ１と商品Ｔ２とを例にして説明すると、先ず、第１プッシャー６１ａに形成された押出爪６１ｄが、商品搬出装置６１上に載置された商品Ｔ１の背面Ｔｒが押す。そして、この第１プッシャー６１ａが、商品Ｔ１を半工程分、即ち、商品Ｔ１を約半分だけ商品送出口５５ａから突出させる。
その後、第２プッシャー６１ｂに形成された押出爪６１ｅが、第１プッシャー６１ａの押出爪６１ｄにより押し出された商品Ｔ１の背面Ｔｒを更に押し、固定板５５の底板６０側に形成された商品送出口５５ａから商品搬出路５９へと商品Ｔ１を送り出す。
【００３０】
このように、商品収納枠５８内の最下層の商品Ｔが、商品送出口５５ａから一つづつ商品搬出路５９に送り出される。そして、この商品Ｔ１は払出シュート３５を通じて、同じく扉３の前面に設けられた商品受取口へと送られ、消費者はこの商品受取口から希望の商品を入手することができる。一方、商品Ｔ１の上に積み上げられていた商品Ｔ２は、商品１個分だけ下方に移動し、搬出前の商品Ｔ１の位置、即ち、商品搬出装置６１上に位置づけられて最下層の商品Ｔ２となる。
【００３１】
なお、売切れ確認レバー６１ｃは、商品搬出装置６１から突出する方向に常時付勢されているが、商品搬出装置６１上に商品Ｔが積み上げられている際には、商品Ｔの自重により商品搬出装置６１内に没している。商品収納枠５８内の最後の商品Ｔが、商品搬出装置６１により排出されると、この売切れ確認レバー６１ｃが付勢力により商品搬出装置６１から突出し、商品搬出装置６１内に設けられたスイッチをＯＮ動作する。そして、扉３の前面に設けられた商品選択スイッチの近傍に設けられた表示板に「売り切れ」の表示をする。
【００３２】
次に、上述した自動販売機の商品収納装置の動作、作用を説明する。
図３に示すように、通常の販売待機状態においては、商品収納枠５は一方の回動端に位置づけられており、この状態においては商品収納枠列５の背面に形成された開口部６４は、固定板５５により閉塞された状態となっている。また、商品収納枠５８内の最下層の商品Ｔ１の下面は、商品押え板５６ａにより支えられ、商品搬出装置６１に係合した状態となっている。
【００３３】
次に、商品収納枠５８内に商品を補充または装填する際には、先ず、アングル材６９を手前側に引き、商品収納枠列５を支軸６７を中心として、図４に示すように他方の回動端まで回動させる。
なお、側面板５３ａ，５３ｂにはそれぞれプレート状のストッパ７０を設けることができる。ストッパ７０を設けることで、商品収納枠列５の前面板６６をこのストッパ７０と当接させ、商品収納枠列５が必要以上に回動するのを防止することができる。また、ストッパ７０の取付位置を調整することで、商品収納枠列５の回動角度を任意に定めることができる。
【００３４】
商品収納枠列５が他方の回動端に位置づけられると、商品収納枠列５の背面に形成された開口部６４が露出し、この開口部６４から商品収納枠５８内に商品Ｔを補充または装填することができる。
商品の補充、装填が終了したら、商品収納枠列５を今度は支軸６７を中心に逆方向に回動させ、商品収納枠列５を一方の回動端に位置づける。各商品収納枠５８に収納された商品Ｔは、最下層の商品Ｔ１が商品押え板５６ａにより支持されているので、上記回動動作中に商品収納枠列５から商品が脱落することはない。
商品収納枠列５が、一方の回動端に位置づけられると、この商品収納枠列５の背面に形成された開口部６４は、再度固定板５５により閉塞され、通常の販売待機状態となる。
【００３５】
次に、本発明の第二実施形態について図面を参照して説明する。
本実施形態では、商品収納枠列５を回動させる際の支軸６７に代えて、図６に示すような構造を採用している。なお、側面板５３ａ，５３ｂ、側面板６４ａ，６４ｂは基本的に同一の構造を有するために、以下の説明では側面板５３ｂ、側面板６４ｂのみについて説明する。
【００３６】
側面板５３ｂには、第１案内溝７１と第２案内溝７２とが形成されており、側面板６４ｂには、支軸６７ａ，６７ｂが突設されている。第１案内溝７１は円弧状に形成されており、この第１案内溝７１の一端より延長して上方に係合部７１ａが形成されている。一方、第２案内溝７２も第１案内溝７１と同様に円弧状に形成されており、その一部は係合部７２ａを構成している。
第２案内溝７２は、垂直線上に位置した半円形の係合部７２ａと終端部７２ｂと、これら上下端を結ぶ円弧部分とを有した形状となっている。一方、第１案内溝７１は、第２案内溝７２の上下端の垂直線上を上方に向けて形成したストレートな係合部７１ａと、このストレート部分の下端から延びる円弧部分と、この円弧部分の終端である終端部７１ｂとからなる。また、この円弧部分は、第２案内溝７２の終端部７２ｂを中心とした仮想円の一部である。
【００３７】
そして、第１案内溝７１には支軸６７ａが、第２案内溝７２には支軸６７ｂがそれぞれ挿通しており、支軸６７ａ，６７ｂはそれぞれ第１案内溝７１と第２案内溝７２にガイドされつつ、各溝内を移動可能である。
【００３８】
次に、上述した自動販売機の商品収納装置の動作、作用を説明する。
先ず、商品収納枠列５の開口部６４が、固定板５５により閉塞されている状態、即ち、商品収納枠列５が一方の回動端に位置づけられている状態では、側面板５３ｂと側面板６４ｂとは、図６の一点鎖線にて示した位置関係にある。この状態から商品収納枠列５を回動させる場合には、商品収納枠列５を上方に持ち上げ、支軸６７ａをストレートな係合部７１ａに沿って移動させる。
【００３９】
次いで、支軸６７ａと支軸６７ｂとをそれぞれ第１案内溝７１と第２案内溝７２とに沿って移動させ、商品収納枠列５を一方の回動端から他方の回動端まで回動させる。商品収納枠列５は、支軸６７ａと支軸６７ｂとがそれぞれ他方の回動端、即ち、図６の二点鎖線に示す支軸６７ａと支軸６７ｂが、終端部７１ｂ，７２ｂに達した段階で回動が停止する。この状態における側面板５３ｂと側面板６４ｂとの位置関係は、図６において二点鎖線に示した通りであり、商品収納枠列５の開口部６４から、商品Ｔを各商品収納枠５８内に補充、装填することができる。
【００４０】
商品収納枠列５を一方の回動端から他方の回動端まで回動させる際には、支軸６７ａ，６７ｂを終端部７１ｂ，７２ｂから第１案内溝７１，第２案内溝７２に沿って移動させる。商品収納枠列５が一方の回動端、即ち、支軸６７ａと支軸６７ｂとがそれぞれ係合部７１ａ，７１ｂに位置づけられると、商品収納枠列５の開口部６４は、固定板５５により閉塞され、商品収納枠列５は商品搬出装置６１と係合する。他方の回動端から一方の回動端までの回動動作中において、支軸６７ａと支軸６７ｂは、商品収納枠列５の自重により第１案内溝の上側の縁部と接触しつつ移動する。したがって、商品収納枠列５の自重の作用により、支軸６７ａ，６７ｂをスムースに係合部７１ａ，７１ｂに位置づけることができ、商品収納枠列５を一方の回動端に確実に位置づけることができる。
【００４１】
本実施形態のように、支軸６７ａ，６７ｂが係合する係合部７１ａ，７１ｂを設けると、商品収納枠列５を確実に一方の回動端、即ち、商品収納枠列５の開口部６４を固定板５５により閉塞した状態に位置づけることができる。また、第１案内溝７１と第２案内溝７２の長さ、形状を調整することで、商品収納枠列５の回動角度を任意に定めることができる。
【００４２】
なお、本発明は上述した実施形態に限定されるものではなく、要旨を変更しない範囲で種々の変形または応用が可能である。例えば、本実施形態では、商品収納枠列５を扉３側に設けているが、機体２側に設置することもできる。
また、商品収納枠列５の開口部６４に開閉自在に、例えば、シート状部材を設けることもできる。このようなシート部材を設けることで、商品Ｔの補充または装填時にのみ、このシート状部材を開口部５８から開け、商品の補充、装填が終了したらこのシート状部材を閉めることができる。このようなシート状部材を設けると、特に、勢い良く商品収納枠列５を他方の回動端から一方の回動端まで回動させても、回動動作中において商品Ｔが開口部６４から飛び出すおそれがない。ここで、シート状部材を透明体とすれば、開口部６４から商品の残量を容易に確認することもできる。
【００４３】
また、商品収納枠列５の前面板６６の上部にアングル材６９と近似した構造の部材を設けることもできる。このようなアングル材を上部に設けると、少ないトルク量で商品収納枠列５を回動させることができる。
さらに、上述した実施形態では商品収納枠５８内に商品Ｔを１列で積み上げた場合を説明したが、商品収納枠５８の構造を前後１列に商品Ｔを積み上げる構造とすることもできる。
また、商品搬出装置６１は、底板６１上に各商品収納枠５８に対応して、一つづつ設置されているが、この商品搬出装置６１を商品収納枠５８内に設けることもできる。具体的には、商品押え板５６ａと最下層の商品Ｔ１との間に設けることもできる。
【００４４】
【発明の効果】
以上説明したように、請求項１の自動販売機の商品収納装置によれば、商品を積層した状態で保持する商品収納枠を複数並べて形成し、これら複数の商品収納枠により商品収納枠列を形成している。この商品収納枠列は自動販売機の機体に回動自在に設けられており、この商品収納枠列の背面には、商品を補充、装填するための開口部が形成されている。この商品収納枠列を一方の回動端まで回動させると、この商品収納枠列を商品搬出装置と係合させることができ、開口部から商品がこぼれるのを確実に防止することができる。
また、この商品収納枠列を他方の回動端まで回動させると、この商品収納枠列の背面に形成した開口部を簡単に露出することができ、この開口部から商品を容易に補充、装填することができる。
【００４５】
また、請求項２記載の発明では前記商品押え板を、前記商品搬出装置による商品の搬出方向に沿って設け、上記商品を前記商品搬出路に案内するガイド部材としての役割を果たすように設けているので、機体に設けられた商品搬出装置の動作を妨げることがない。
【図面の簡単な説明】
【図１】従来の自動販売機のドアを開いた状態を概略的に示した斜視図である。
【図２】従来の自動販売機の商品収納装置を概略的に示した斜視図である。
【図３】本発明の実施形態に係る自動販売機の商品収納装置を一方の回動端まで回動させた状態を概略的に示した斜視図である。
【図４】同装置を他方の回動端まで回動させた状態を概略的に示した斜視図である。
【図５】同装置の概略断面図である。
【図６】本発明の第二実施形態に係る同装置の支軸の構造を概略的に示した図である。
【符号の説明】
２  機体
３  ドア
５  商品収納枠列
５３ａ，５３ｂ  側面板
５８  商品収納枠
６１  商品搬出装置
６４  開口部
６４ａ，６４ｂ  側面板
６６ａ  確認窓
Ｔ  商品
【図１】
0003615855.tif 000002
【図２】
0003615855.tif 000003
【図３】
0003615855.tif 000004
【図４】
0003615855.tif 000005
【図５】
0003615855.tif 000006
【図６】
0003615855.tif 000007